(57)【要約】【課題】  ネズミによる電気コード等におけるかじり被害を、容易に、確実に、さらに、安全に防止できるようにする。【解決手段】  全体が網目形態であるとともにカプサイシン成分８を保持し、電気コード等の発熱性線状物品１０に沿って巻き付け装着されて使用され、カプサイシン成分８（辛み）を発散することでネズミの忌避効果を発揮するネズミ忌避具。【選択図】図３
2015008726.tif 000002
【特許請求の範囲】
【請求項１】
全体が網目形態であるとともにカプサイシン成分を保持し、発熱性線状物品に沿って巻き付け装着されて使用されることを特徴とするネズミ忌避具。
【請求項２】
前記発熱性線状物品が電気コードである請求項１記載のネズミ忌避具。
【請求項３】
前記巻き付け装着状態の保持用の面ファスナーを備える請求項１または２記載のネズミ忌避具。
【請求項４】
前記カプサイシン成分がマイクロカプセルに充填された請求項１、２または３記載のネズミ忌避具。
【請求項５】
長尺のものが所望の長さに切断され使用される請求項１、２、３または４記載のネズミ忌避具。
【発明の詳細な説明】
【技術分野】
【０００１】  この発明は、工場や倉庫等における電気配線等において用いられるネズミ忌避具に関する。
【背景技術】
【０００２】  工場や倉庫においてはネズミによる被害がしばしば発生し、例えば、電気コードがかじられて損傷、切断される被害が発生している。電気コードがかじられた場合には電気機器が作動せず、また、ショートが発生することで火災の危険もある。このようなかじり被害を回避するために、ネズミを捕獲したり、また電気コードをカバーするなど種々の方策がとられるが、その成果は十分に得られていない。
【発明の概要】
【発明が解決しようとする課題】
【０００３】  この発明は上記の事情に鑑みて行ったもので、ネズミの電気コード等におけるかじり被害を、容易に、確実に、さらに、安全に防止できるようにすることを目的とする。
【課題を解決するための手段】
【０００４】  この発明では、全体が網目形態であるとともにカプサイシン成分を保持し、発熱性線状物品に沿って巻き付け装着されて使用されることを特徴とするネズミ忌避具を提供する。【０００５】  この発明のネズミ忌避具は、発熱性線状物品に沿って巻き付け装着されて用いられ、その装着状態においてカプサイシン成分（辛み）を発散することで、その使用部位にネズミを近寄りにくくし、また、ネズミが噛んだ際には口や顔面に大きな刺激を受ける。これにより忌避効果が果たされて、発熱性線状物品のネズミによるかじり被害が回避される。【０００６】  さらに、ネズミ忌避具は全体が網目形態であるので、発熱性線状物品に巻き付け装着された際に網目の開口を通して放熱されてその部位に熱が蓄積されない。また、網目形態であることで軽量であって取扱いが容易になされるとともに、剛性が小さいことで発熱性線状物品に沿っての巻き付け装着も容易に行われる。【０００７】  ネズミ忌避具は、発熱の可能性がある発熱性線状物品に巻き付け装着されて使用され、電気コード、電気コードを集合配線する管体等に使用される。【０００８】  ネズミ忌避具は、巻き付け装着状態の保持用の面ファスナーを備える構成とされることで、ワンタッチで容易に装着される。【０００９】  ネズミ忌避具は、カプサイシン成分がマイクロカプセルに充填された構成とされることで、成分が徐々にマイクロカプセル内から放出されるので忌避効果が持続される。【００１０】  ネズミ忌避具は、長尺のものを用意しておくことで、使用部位に対応して適宜所望の長さに切断して便利に用いられる。
【発明の効果】
【００１１】  この発明のネズミ忌避具を使用することで、電気コード等のネズミによるかじり被害が防止できるようになる。網目形態であって装着部位に熱が蓄積されないので、長期の使用においても熱発生による損傷や火災の発生の恐れがなく、安全に使用できる。さらに、網目形態であることで軽量であり、巻き付け装着も容易に行える点において実用性に優れる。
【図面の簡単な説明】
【００１２】
【図１】  この発明のネズミ忌避具の実施形態の部分外観斜視図
【図２】  この発明のネズミ忌避具の実施形態の部分拡大断面図
【図３】  この発明のネズミ忌避具の実施形態の使用説明図
【図４】  この発明のネズミ忌避具の実施形態の使用説明図
【発明の好ましい実施形態】
【００１３】  図１はネズミ忌避具の部分外観斜視図、図２は同部分拡大断面図である。ネズミ忌避具１は巾２０ｃｍ程度の帯状形態で、網目形態のシート体２の一方面の一方の側縁に沿って面ファスナー３が付設され、その他方面の他方の側縁に沿って上記面ファスナー３に合わされ連結される面ファスナー５が付設されている。
【００１４】  シート体２は、繊維の編み物よりなる網目状の芯材５表面にカプサイシン成分を含有する塩化ビニール樹脂等の樹脂塗料６が塗布形成されて形成されており、一片を約３ｍｍとする正方形の開口７が全面にわたり多数隣接配置されて、全体が網目形態となっている。シート体２の樹脂塗料６内には、内部にカプサイシン粉が充填されたマイクロカプセル８が多数均一に分散配置されている。
【００１５】  ネズミ忌避具１は、網目状の芯材５が樹脂塗料６内に浸漬されて取り出され、風が吹き付けられて樹脂塗料６が吹き飛ばされて開口８が形成され、さらに、乾燥された状態において面ファスナー３、面ファスナー５が所定位置に熱溶着により取り付けられて作成される。
【００１６】  上記構成のシート体２においては、カプサイシン粉からのカプサイシン成分は均一に分散されたマイクロカプセル８の壁を通して少しずつシート体２内の全体にいきわたるようになっている。
【００１７】  以下、ネズミ忌避具１の使用について説明する。長尺のものから切断により所望の長さとされたネズミ忌避具１は、図３に示すように、電気コード１０に沿うように配置されてその位置で矢印で示すように電気コード１０に巻かれ、それぞれの面ファスナー３、５が互いに合わされて連結されることで、図４に示すように、装着される。
【００１８】  上記のようにネズミ忌避具１が装着されることで、ネズミ忌避具１からカプサイシン成分（辛み）が発散することでその部位にネズミが近寄りにくくなり、また、ネズミが噛んだ際には口や顔面に大きな刺激を受け、これによりネズミの忌避効果が果たされて、電気コード１０のネズミによるかじり被害が確実に防止される。また、ネズミ忌避具１はシート体２が網目形態となっていることで、それぞれの開口７から放熱するので、長期の使用等により電気コード１０が発熱した場合にもその巻き付け装着部に熱が溜まりにくく、これにより、発熱によるネズミ忌避具１と電気コード１０との損傷が防がれるとともに、火災事故の発生も回避される。
【００１９】  ネズミ忌避具１は電気コード１０のかじり被害が発生しやすい部位に適宜の長さにおいて用いられる。また、電気コード１０が内部に配置される電気配管がかじり被害を受ける場合には、ねずみ忌避具はその配管を覆うように用いられる。
【符号の説明】
【００２０】１    ネズミ忌避具
２    シート体
３    面ファスナー
５    面ファスナー
７    開口
８    マイクロカプセル（カプサイシン成分）
１０  電気コード（発熱性線状物品）
【図１】
2015008726.tif 000003
【図２】
2015008726.tif 000004
【図３】
2015008726.tif 000005
【図４】
2015008726.tif 000006